(57)【要約】【課題】ＬＥＤ照明灯の明るさを向上させる。【解決手段】複数のＬＥＤ１２を配設したＬＥＤ基板１１と、前記ＬＥＤ基板１１を固定する放熱パイプ２１と、前記放熱パイプ２１に取り付けられて前記ＬＥＤ基板１１を覆う光拡散カバー２５と、を備えた直管形のＬＥＤ蛍光灯１０であって、前記放熱パイプ２１には、前記ＬＥＤ基板１１の取付面の両側に反射壁２１ｅが形成されている。【選択図】図４
2013122830.tif 000002
【特許請求の範囲】
【請求項１】
複数のＬＥＤを配設したＬＥＤ基板と、
前記ＬＥＤ基板を固定する放熱パイプと、
前記放熱パイプに取り付けられて前記ＬＥＤ基板を覆う光拡散カバーと、
を備えた直管形のＬＥＤ蛍光灯であって、
前記放熱パイプには、前記ＬＥＤ基板の取付面の両側に反射壁が形成されていることを特徴とする、ＬＥＤ照明灯。
【請求項２】
前記反射壁は、前記ＬＥＤよりも高く形成されていることを特徴とする、請求項１記載のＬＥＤ照明灯。
【発明の詳細な説明】
【技術分野】
【０００１】
この発明は、直管形のＬＥＤ照明灯に関するものである。
【背景技術】
【０００２】
近年、既存の蛍光灯と構造的に互換性のあるＬＥＤ照明灯が提案されている（例えば特許文献１参照）。
【０００３】
こうしたＬＥＤ照明灯は、アルミなどで形成された放熱パイプにＬＥＤ基板が固定されたものが一般的である。
【先行技術文献】
【特許文献】
【０００４】
【特許文献１】特開２０１１−２１０７２９号公報
【発明の概要】
【発明が解決しようとする課題】
【０００５】
ところで、ＬＥＤから発せられる光は従来の蛍光灯よりも直進性が高いため、光を拡散させないとＬＥＤの粒が目立つなどの問題がある。特に、ＬＥＤ照明灯の側面部はＬＥＤとの距離が近いため、ＬＥＤの粒が目立つ傾向がある。このため、ＬＥＤ照明灯においては、照明灯の明るさを確保しつつ、光を拡散させることが求められている。
【０００６】
そこで、本発明は、照明灯の明るさを確保しつつ、光を拡散させることができるＬＥＤ照明灯を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載のＬＥＤ照明灯は、複数のＬＥＤを配設したＬＥＤ基板と、前記ＬＥＤ基板を固定する放熱パイプと、前記放熱パイプに取り付けられて前記ＬＥＤ基板を覆う光拡散カバーと、を備えた直管形のＬＥＤ蛍光灯であって、前記放熱パイプには、前記ＬＥＤ基板の取付面の両側に反射壁が形成されていることを特徴とする。
【００１０】
（請求項２）
請求項２に記載の発明は、上記した請求項１記載の発明の特徴点に加え、以下の点を特徴とする。
【００１１】
すなわち、前記反射壁は、前記ＬＥＤよりも高く形成されていることを特徴とする。
【発明の効果】
【００１２】
本発明は上記の通りであり、ＬＥＤ基板を固定する放熱パイプには、前記ＬＥＤ基板の取付面の両側に反射壁が形成されている。このため、特にＬＥＤの粒が目立ちやすい側面部の光を反射壁で反射させて拡散させることができるとともに、光を照射方向に集めることができるので、ＬＥＤ照明灯の明るさを向上させることができる。
【図面の簡単な説明】
【００１３】
【図１】ＬＥＤ照明灯の（ａ）正面図、（ｂ）中間部を省略した側面図である。
【図２】ＬＥＤ照明灯を上から見た一部拡大分解図である。
【図３】ＬＥＤ照明灯を下から見た一部拡大分解図である。
【図４】ＬＥＤ照明灯のＡ−Ａ断面図である。
【図５】ＬＥＤ照明灯のＡ−Ａ断面図であって、ＬＥＤの発する光が拡散する様子を示す図である。
【発明を実施するための形態】
【００１４】
本実施形態に係るＬＥＤ照明灯１０は、従来の蛍光灯と構造的に互換性のある直管形の照明灯であり、従来の蛍光灯用の灯具本体に接続可能となっている。
【００１５】
このＬＥＤ照明灯１０は、複数のＬＥＤ１２を配設したＬＥＤ基板１１と、このＬＥＤ基板１１への電力供給を制御する制御基板４０と、ＬＥＤ基板１１及び制御基板４０を覆う筒状のカバー２０と、このカバー２０の両端に冠着されるソケット３０と、を備えている。このＬＥＤ照明灯１０は、従来の蛍光灯と同様に、両端のソケット３０が灯具本体の接続部に取り付けられ、この接続部を介して電力が供給されることで点灯する。
【００１６】
（ＬＥＤ基板１１）
ＬＥＤ基板１１は、複数のＬＥＤ１２を表面に実装した基盤である。このＬＥＤ基板１１には、ＬＥＤ１２に対して供給する電気を蓄えたコンデンサ１３も実装されている。
【００１７】
（制御基板４０）
制御基板４０は、ＬＥＤ基板１１上の複数のＬＥＤ１２のオン・オフを切り替えるためのトランジスタ等が実装された基板である。特に図示しないが、この制御基板４０は、外部から供給された電力を制御するための制御回路を備えており、この制御回路を介してＬＥＤ基板１１へと電力を供給する。
【００１８】
（カバー２０）
カバー２０は、ＬＥＤ基板１１を下方に向けて支持する支持部材としての放熱パイプ２１と、放熱パイプ２１の下側に固定される光拡散カバー２５と、を備えている。
【００１９】
（放熱パイプ２１）
放熱パイプ２１は、アルミ製の押し出し型材であり、略半月状のパイプ部２１ａと、このパイプ部２１ａの下方に一体的に延設された下垂部２１ｂと、を備えている。この放熱パイプ２１は、ＬＥＤ基板１１及び制御基板４０が面接触するように取り付けられ、基板の熱を放熱するためのヒートシンクの役割を果たすようになっている。
【００２０】
略半月状のパイプ部２１ａは、内部が中空となっており、この中空の内部に制御基板４０をスライド挿入できるようになっている。
【００２１】
下垂部２１ｂは、パイプ部２１ａの平坦面から下方に突出しており、カバー２０の長手方向全長に渡って両側に平行に２つ形成されている。この２つの下垂部２１ｂの内側面には、対向する位置に狭持溝２１ｃが形成されており、この狭持溝２１ｃにＬＥＤ基板１１を差し込んでスライドさせることで、ＬＥＤ１２の実装面が下方を向くようにＬＥＤ基板１１を保持できるようになっている。また、２つの下垂部２１ｂの外側面には外溝２１ｄが形成されており、この外溝２１ｄによって光拡散カバー２５を取り付け可能となっている。
【００２２】
（光拡散カバー２５）
光拡散カバー２５は、略Ｃ字形に形成された樹脂製の押し出し型材である。光拡散カバー２５は、全体が透光性の光透過部２５ｂを構成しており、下方及び側方にＬＥＤ１２の発する光を放出させるように形成されている。
【００２３】
この光拡散カバー２５の両側の開放端部は、内側に鉤状に突出しており、係合爪部２５ａを形成している。この係合爪部２５ａが前述した放熱パイプ２１の外溝２１ｄに差し込まれることにより、光拡散カバー２５は放熱パイプ２１に取り付け可能となっている。光拡散カバー２５を放熱パイプ２１に取り付ける際には、光拡散カバー２５の弾性を利用して両側の係合爪部２５ａが離れる方向に押し広げ、外溝２１ｄに差し込む。これにより、両側の係合爪部２５ａが外溝２１ｄを外から挟み込んで、光拡散カバー２５と放熱パイプ２１とが互いに接合される。光拡散カバー２５と放熱パイプ２１とが接合されると、全体として円筒形状を形成する。
【００２４】
（ソケット３０）
ソケット３０は、カバー２０の両端に冠着される有底円筒状の部材であり、樹脂製の筒部材３１と、この筒部材３１の端部に装着される電極キャップ３２と、を備えている。
【００２５】
筒部材３１は、カバー２０の端部外周に外装されるために筒状に形成されている。
【００２６】
また、電極キャップ３２は、２つのピン３２ａが突出形成された金属製の部材である。ＬＥＤ照明灯１０は、この電極キャップ３２のピン３２ａを灯具本体の接続部に挿入接続することで灯具本体に装着され、このピン３２ａによって自重を支えられるようになっている。
【００２７】
（反射壁２１ｅについて）
ところで、前記した放熱パイプ２１には、ＬＥＤ１２の発する光を反射するための反射壁２１ｅが形成されている。この反射壁２１ｅは、下垂部２１ｂによって形成されており、ＬＥＤ基板１１を保持するための狭持溝２１ｃの下側に延びる壁として設けられている。
【００２８】
本実施形態においては、この反射壁２１ｅは、狭持溝２１ｃに保持したＬＥＤ基板１１に実装されたＬＥＤ１２よりも高く（下方向に）まで延在している。
【００２９】
この反射壁２１ｅが設けられていることで、図５に示すように、ＬＥＤ１２の発する光（特に側部方向に発せられた光）が反射壁２１ｅに反射し、光が拡散するようになっている。
【００３０】
本実施形態によれば、特にＬＥＤ１２の粒が目立ちやすい側面部の光を反射壁２１ｅで反射させて拡散させることができるとともに、光を照射方向に集めることができるので、ＬＥＤ照明灯１０の明るさを向上させることができる。
【符号の説明】
【００３１】
１０  ＬＥＤ照明灯
１１  ＬＥＤ基板
１２  ＬＥＤ
１３  コンデンサ
２０  カバー
２１  放熱パイプ
２１ａ  パイプ部
２１ｂ  下垂部
２１ｃ  狭持溝
２１ｄ  外溝
２１ｅ  反射壁
２５  光拡散カバー
２５ａ  係合爪部
２５ｂ  光透過部
３０  ソケット
３１  筒部材
３２  電極キャップ
３２ａ  ピン
４０  制御基板
【図１】
2013122830.tif 000003
【図２】
2013122830.tif 000004
【図３】
2013122830.tif 000005
【図４】
2013122830.tif 000006
【図５】
2013122830.tif 000007